(57)【要約】      （修正有）【課題】使用に便利で、混合量を手軽に制御でき、調整可能な範囲が大きい液体混合装置を提供する。【解決手段】連結装置１と、昇降モジュール２と、穿刺モジュール３と、アダプタ装置４を含み、そのうち、連結装置１の一側に少なくとも１つの入液口１１１が形成され、別の一側に少なくとも１つの出液口１１２が形成され、連結装置１内に入液口１１１と出液口１１２に連通された少なくとも１つの流通部１１３が形成され、連結装置１内の流通部１１３の傍に、該流通部に連通された少なくとも１つの分流部１１４が設けられ、連結装置１内の流通部１１３の傍に、該流通部に連通された少なくとも１つの回流部１１５が設けられる。昇降モジュール２は連結装置１上に可動的に設置され、穿刺モジュール３が昇降モジュール２上に可動的に設置され、かつ昇降モジュール２に連動され、昇降モジュール２と連結装置１の間に位置する。【選択図】図２
0003213790.tif 000002
【実用新案登録請求の範囲】
【請求項１】
液体混合装置であって、少なくとも１つの連結装置と、少なくとも１つの流通部と、少なくとも１つの分流部と、少なくとも１つの回流部と、少なくとも１つの昇降モジュールと、少なくとも１つの穿刺モジュールと、少なくとも１つのアダプタ装置と、を含み、
該連結装置の一側に少なくとも１つの入液口が形成され、別の一側に少なくとも１つの出液口が形成され、
該流通部が該連結装置内に形成され、かつ該入液口及び該出液口に連通され、
該分流部が該連結装置内の該流通部の傍に形成され、かつ該流通部に連通され、
該回流部が該連結装置内の該流通部の傍に形成され、かつ該流通部に連通され、
該昇降モジュールが該連結装置上に可動的に設置され、
該穿刺モジュールが該昇降モジュール上に可動的に設置され、かつ該昇降モジュールに連動され、該昇降モジュールと該連結装置の間に位置する該穿刺モジュールが、少なくとも１つの選択的に該分流部に連通される第１穿刺部材と、少なくとも１つの選択的に該回流部に連通される第２穿刺部材を含み、該第１穿刺部材と該第２穿刺部材が該昇降モジュールの該連結装置を背にする側に選択的に穿出され、
該アダプタ装置が該連結装置上に、該穿刺モジュールの位置に対応して設置される、ことを特徴とする、液体混合装置。
【請求項２】
前記連結装置が、該入液口、該出液口、該流通部、該分流部、及び該回流部が形成された連結本体と、該連結本体上に設置され、該第１穿刺部材と該第２穿刺部材が挿設される少なくとも１つの連結蓋体と、を含み、該分流部が少なくとも１つの該第１穿刺部材と選択的に連通される少なくとも１つの分流空間と、該分流空間と該流通部を連通する少なくとも１つの分流口を含み、かつ該回流部が該第２穿刺部材と選択的に連通される少なくとも１つの回流空間と、該回流空間と該流通部を連通する少なくとも１つの回流口を含む、ことを特徴とする、請求項１に記載の液体混合装置。
【請求項３】
前記昇降モジュールが、該連結装置上に可動的に設置された少なくとも１つの第１当接部と、該第１当接部の該連結装置を背にする側に設置された少なくとも１つの第２当接部と、該第１当接部上に設置された少なくとも１つの弾性部材を含み、該第１当接部と該第２当接部が該穿刺モジュールを挟んで設置され、かつ該第２当接部に該第１穿刺部材と該第２穿刺部材が選択的に穿出され、該第２当接部上に該第１穿刺部材と該第２穿刺部材を選択的に穿出させるための複数の穿刺部が形成され、かつ該穿刺部に該第１穿刺部材と該第２穿刺部材を選択的に収容できることを特徴とする、請求項１に記載の液体混合装置。
【請求項４】
前記穿刺モジュールが、該昇降モジュール上に可動的に設置され、かつ該第１穿刺部材と該第２穿刺部材を設置するために用いる少なくとも１つの支持座体を含み、該第１穿刺部材上に該分流部に選択的に連通される少なくとも１つの第１通孔が形成され、該第２穿刺部材上に該回流部に選択的に連通される少なくとも１つの第２通孔が形成され、該支持座体、該第１穿刺部材、及び該第２穿刺部材上に少なくとも１つの密閉部材が設置されることを特徴とする、請求項１に記載の液体混合装置。
【請求項５】
前記アダプタ装置が、少なくとも１つの収容部と、該収容部の傍に位置する少なくとも１つの圧迫部を含み、かつ該収容部が少なくとも１つの貯液装置の設置に供され、該圧迫部が該貯液装置、及び該昇降モジュールに対する施圧に用いられ、かつ該貯液装置が、少なくとも１つの貯液容器と、該貯液容器の傍に形成され、該第１穿刺部材と該第２穿刺部材を選択的に穿刺させるために用いる少なくとも１つの撓性部と、該貯液容器と該撓性部の間に形成された少なくとも１つの貯液空間を含む、ことを特徴とする、請求項１に記載の液体混合装置。
【考案の詳細な説明】
【技術分野】
【０００１】
本考案は使用に便利で、混合量を手軽に制御でき、調整可能な範囲が大きい、液体混合装置に関する。
【背景技術】
【０００２】
従来の流体芳香装置は、ハウジングと、ハウジング内に形成された収容空間と、ハウジング上に形成され、かつ収容空間に連通された流通口と、収容空間内に収容された芳香物を含み、使用時は従来の流体芳香装置を水洗用流体の経路上に取り付け、例えば（シャワーヘッドの）給水管路、（トイレの）貯水槽上に取り付けて、流体を芳香物と接触させて混合し、流体に香りを発生させている。
【０００３】
しかしながら、流体を直接芳香物と接触させるために特殊な構造で予め流体圧力を高めておくことはしないため、流体が芳香物に接触する前の圧力が芳香物に接触した後の圧力と接近しており、流体の流動を制御する圧力が不足して相互に干渉を生じ、流体の流動が不十分になり、流動の発生と芳香物の混合量が不安定になるという欠点が存在する。また、従来の流体芳香装置には流体を流動させる圧力が不足する問題があるため、流体を芳香物に接触させる流量を制御して増加させることができず、さらには一部の流体が芳香物箇所に滞留して流動せず、大部分の流体が芳香物と接触しないまま排出される状況が発生することがある。このため、従来の流体芳香装置に組み合わせることができる流体の流量は制限を受け、向上が困難になっている。
【考案の概要】
【考案が解決しようとする課題】
【０００４】
本考案の目的は、使用者が便利に使用できる、液体混合装置を提供することにある。
【０００５】
本考案の別の目的は、生産時に必要に応じて寸法を自由に変化させ、混合量を制御することができる、液体混合装置を提供することにある。
【課題を解決するための手段】
【０００６】
上述の目的を達するため、本考案の液体混合装置は連結装置を含み、該連結装置の一側に入液口が形成され、別の一側に出液口が形成され、連結装置内に入液口及び出液口に連通された流通部が形成され、連結装置内に流通部に連通された分流部が形成され、分流部が分流空間と、分流空間及び流通部に連通された分流口を含み、連結装置内に流通部に連通された回流部が形成され、かつ回流部が回流空間と、回流空間及び流通部に連通された回流口を含み、連結装置上に昇降モジュールが可動的に設置され、かつ昇降モジュール上に穿刺モジュールが可動的に設置され、かつ穿刺モジュールが分流部に選択的に連通される第１穿刺部材と、回流部に選択的に連通される第２穿刺部材を含み、さらに連結装置上に穿刺モジュールの位置に対応してアダプタ装置が設置される。
【０００７】
未使用時、流体は直接入液口から進入し、流通部を経由して出液口から流出する。
【０００８】
使用時は、貯液装置をアダプタ装置上に設置すれば、同時に貯液装置が昇降モジュールを自然に連動し、穿刺モジュールの第１穿刺部材、及び第２穿刺部材を昇降モジュールに穿出させて貯液装置に穿刺させ、第１穿刺部材と分流部が連通され、第２穿刺部材と回流部が連通される。このため、入液口から流通部に進入した流体は、一部が分流口から分流空間に進入し、かつ第１穿刺部材を経由して貯液装置に進入する。これにより貯液装置に向かって流れる流体の圧力を増加し、その流動をより円滑にするとともに、貯液装置内の芳香物と混合させ、その後第２穿刺部材、回流空間、回流口、流通部を経由して出液口から排出させる。
【０００９】
使用しないとき、または貯液装置を交換したいときは、貯液装置をアダプタ装置から直接取り外すと、昇降モジュールが自動的に元に戻り、穿刺モジュールを連動して、第１穿刺部材及び第２穿刺部材が昇降モジュール内へ戻り、分流部と回流部が封鎖される。
【００１０】
混合する流体の流量に対して必要がある場合、分流部の構造設計により貯液装置に流れる流体の圧力が増加されるため、加圧の提供を維持しながら、分流部と回流部の寸法を大きくして流量を増加することができ、かつ大きくできる寸法範囲は比較的大きい。上述の技術により、従来の流体芳香装置に存在する問題点を打破し、使用に便利で、混合量を手軽に制御でき、かつ調整可能な範囲を大きくすることができる。
【００１１】
請求項１に記載する液体混合装置は、少なくとも１つの連結装置と、少なくとも１つの流通部と、少なくとも１つの分流部と、少なくとも１つの回流部と、少なくとも１つの昇降モジュールと、少なくとも１つの穿刺モジュールと、少なくとも１つのアダプタ装置と、を含み、
該連結装置の一側に少なくとも１つの入液口が形成され、別の一側に少なくとも１つの出液口が形成され、
該流通部が該連結装置内に形成され、かつ該入液口及び該出液口に連通され、
該分流部が該連結装置内の該流通部の傍に形成され、かつ該流通部に連通され、
該回流部が該連結装置内の該流通部の傍に形成され、かつ該流通部に連通され、
該昇降モジュールが該連結装置上に可動的に設置され、
該穿刺モジュールが該昇降モジュール上に可動的に設置され、かつ該昇降モジュールに連動され、該昇降モジュールと該連結装置の間に位置する該穿刺モジュールが、少なくとも１つの選択的に該分流部に連通される第１穿刺部材と、少なくとも１つの選択的に該回流部に連通される第２穿刺部材を含み、該第１穿刺部材と該第２穿刺部材が該昇降モジュールの該連結装置を背にする側に選択的に穿出され、
該アダプタ装置が該連結装置上に、該穿刺モジュールの位置に対応して設置される。
【００１２】
請求項２に記載する液体混合装置は、前記連結装置が、該入液口、該出液口、該流通部、該分流部、及び該回流部が形成された連結本体と、該連結本体上に設置され、該第１穿刺部材と該第２穿刺部材が挿設される少なくとも１つの連結蓋体と、を含み、該分流部が少なくとも１つの該第１穿刺部材と選択的に連通される少なくとも１つの分流空間と、該分流空間と該流通部を連通する少なくとも１つの分流口を含み、かつ該回流部が該第２穿刺部材と選択的に連通される少なくとも１つの回流空間と、該回流空間と該流通部を連通する少なくとも１つの回流口を含む。
【００１３】
請求項３に記載する液体混合装置は、前記昇降モジュールが、該連結装置上に可動的に設置された少なくとも１つの第１当接部と、該第１当接部の該連結装置を背にする側に設置された少なくとも１つの第２当接部と、該第１当接部上に設置された少なくとも１つの弾性部材を含み、該第１当接部と該第２当接部が該穿刺モジュールを挟んで設置され、かつ該第２当接部に該第１穿刺部材と該第２穿刺部材が選択的に穿出され、該第２当接部上に該第１穿刺部材と該第２穿刺部材を選択的に穿出させるための複数の穿刺部が形成され、かつ該穿刺部に該第１穿刺部材と該第２穿刺部材を選択的に収容できる。
【００１４】
請求項４に記載する液体混合装置は、前記穿刺モジュールが、該昇降モジュール上に可動的に設置され、かつ該第１穿刺部材と該第２穿刺部材を設置するために用いる少なくとも１つの支持座体を含み、該第１穿刺部材上に該分流部に選択的に連通される少なくとも１つの第１通孔が形成され、該第２穿刺部材上に該回流部に選択的に連通される少なくとも１つの第２通孔が形成され、該支持座体、該第１穿刺部材、及び該第２穿刺部材上に少なくとも１つの密閉部材が設置される。
【００１５】
請求項５に記載する液体混合装置は、前記アダプタ装置が、少なくとも１つの収容部と、該収容部の傍に位置する少なくとも１つの圧迫部を含み、かつ該収容部が少なくとも１つの貯液装置の設置に供され、該圧迫部が該貯液装置、及び該昇降モジュールに対する施圧に用いられ、かつ該貯液装置が、少なくとも１つの貯液容器と、該貯液容器の傍に形成され、該第１穿刺部材と該第２穿刺部材を選択的に穿刺させるために用いる少なくとも１つの撓性部と、該貯液容器と該撓性部の間に形成された少なくとも１つの貯液空間を含む。
【図面の簡単な説明】
【００１６】
【図１】本考案の構造を示した立体外観図である。
【図２】本考案の図１のＡ−Ａ線での断面図である。
【図３】本考案の立体分解図である。
【図４】本考案の設置を示した断面図である。
【図５】本考案の穿刺を示した断面図である。
【図６】本考案の使用を示した断面図である。
【図７】本考案の貯液装置の交換を示した断面図である。
【考案を実施するための形態】
【００１７】
図１から図３に示すように、本考案は主に、少なくとも１つの連結装置１と、少なくとも１つの昇降モジュール２と、少なくとも１つの穿刺モジュール３と、少なくとも１つのアダプタ装置４を含み、そのうち、連結装置１の一側に少なくとも１つの入液口１１１が形成され、別の一側に少なくとも１つの出液口１１２が形成され、連結装置１内に入液口１１１と出液口１１２に連通された少なくとも１つの流通部１１３が形成され、連結装置１内の流通部１１３の傍に、該流通部に連通された少なくとも１つの分流部１１４が設けられ、連結装置１内の流通部１１３の傍に、該流通部に連通された少なくとも１つの回流部１１５が設けられる。
【００１８】
昇降モジュール２は連結装置１上に可動的に設置され、穿刺モジュール３が昇降モジュール２上に可動的に設置され、かつ昇降モジュール２に連動され、昇降モジュール２と連結装置１の間に位置し、穿刺モジュール３が分流部１１４と選択的に連通される少なくとも１つの第１穿刺部材３１と、回流部１１５と選択的に連通される少なくとも１つの第２穿刺部材３２と、昇降モジュール２上に可動的に設置され、第１穿刺部材３１と第２穿刺部材３２の設置に用いる少なくとも１つの支持座体３３を含み、第１穿刺部材３１と第２穿刺部材３２が昇降モジュール２の連結装置１を背にする側に選択的に穿出され、第１穿刺部材３１上に分流部１１４と選択的に連通される少なくとも１つの第１通孔３１１が形成され、第２穿刺部材３２上に回流部１１５と選択的に連通される少なくとも１つの第２通孔３２１が形成され、このほか、支持座体３３、第１穿刺部材３１、第２穿刺部材３２上に少なくとも１つの密閉部材３４が設置され、密封効果が向上される。
【００１９】
連結装置１は入液口１１１、出液口１１２、流通部１１３、分流部１１４、及び回流部１１５が形成された少なくとも１つの連結本体１１、及び連結本体１１上に設置され、第１穿刺部材３１と第２穿刺部材３２が挿設される少なくとも１つの連結蓋体１２を含み、かつ分流部１１４は第１穿刺部材３１と選択的に連通される少なくとも１つの分流空間１１４１と、分流空間１１４１と流通部１１３を連通する少なくとも１つの分流口１１４２を含み、回流部１１５は第２穿刺部材３２と選択的に連通される少なくとも１つの回流空間１１５１と、回流空間１１５１と流通部１１３を連通する少なくとも１つの回流口１１５２を含む。
【００２０】
昇降モジュール２は、連結装置１上に可動的に設置された少なくとも１つの第１当接部２１と、第１当接部２１の連結装置１を背にする側に設置された少なくとも１つの第２当接部２２と、第１当接部２１上に設置された少なくとも１つの弾性部材２４を含み、第１当接部２１と第２当接部２２が穿刺モジュール３を挟んで設置され、かつ第２当接部２２に第１穿刺部材３１と第２穿刺部材３２が選択的に穿出され、第２当接部２２上に第１穿刺部材３１と第２穿刺部材３２を選択的に穿出させるための複数の穿刺部２３が形成され、かつ穿刺部２３に第１穿刺部材３１と第２穿刺部材３２を選択的に収容することができる。
【００２１】
アダプタ装置４は連結装置１上に、穿刺モジュール３の位置に対応して設置される。アダプタ装置４は少なくとも１つの収容部４１と、少なくとも１つの収容部４１の傍に位置する圧迫部４２を含み、収容部４１が少なくとも１つの貯液装置の設置に供され、圧迫部４２が貯液装置、及び昇降モジュール２に対する施圧に用いられる。貯液装置は少なくとも１つの貯液容器と、貯液容器の傍に形成され、第１穿刺部材３１と第２穿刺部材３２を選択的に穿刺させるために用いる少なくとも１つの撓性部と、貯液容器と撓性部の間に形成された少なくとも１つの貯液空間を含み、貯液空間に少なくとも１つの芳香物が貯蔵される。上述は単に本考案の実施態様の１つであり、その態様はこれに限らない。
【００２２】
図１から図７に示すように、本考案を設置するときは、連結装置１を流体管路に連通させて設置し、液体を連結本体１１の入液口１１１から流通部１１３に進入させ、出液口１１２から流出させる。このとき、第１通孔３１１及び第２通孔３２１が連結蓋体１２により遮蔽され、かつ密閉部材３４により封鎖効果が強化されているため、液体は分流部１１４、回流部１１５、第１穿刺部材３１、または第２穿刺部材３２で流動せず、第１穿刺部材３１と第２穿刺部材３２が昇降モジュール２の第２当接部２２の穿刺部２３内に収容され、使用者がうっかりケガをするなどということがない。
【００２３】
図５と図６に示すように、使用するときは貯液装置５をアダプタ装置４の収容部４１上に取り付け、圧迫部４２を介して貯液容器５１に対して施圧し、昇降モジュール２を圧迫させ（本実施例ではネジの螺合による施圧で実施している）、第１穿刺部材３１と第２穿刺部材３２が露出される位置に第２当接部２２を移動させると、第１穿刺部材３１と第２穿刺部材３２が自然に撓性部５２に穿刺されて貯液空間５３と連通し、第１当接部２１が移動されて弾性部材２４を圧迫し、エネルギーが蓄積され、その後第２当接部２２が支持座体３３を押して第１穿刺部材３１と第２穿刺部材３２を動かし、第１通孔３１１と分流部１１４の分流空間１１４１が連通され、同時に第２通孔３２１と回流部１１５の回流空間１１５１が連通される。このとき、流体の開閉部（蛇口など）を開くと、本考案の内部の流体が出液口１１２方向に移動を開始し、流通部１１３内の流体が一部分流口１１４２から分流空間１１４１に進入し、かつ第１穿刺部材３１の第１通孔３１１へと流れ、加圧の効果を発生する。加圧された流体は第１穿刺部材３１から貯液空間５３内に進入し、芳香物に接触して芳香流体を形成し、芳香流体が第２穿刺部材３２から第２通孔３２１、回流部１１５の回流空間１１５１と回流口１１５２を経て流通部１１３へと流れ、出液口１１２から流出されて使用に供され、除臭及びストレス発散の効果と生活の楽しみの増加が得られる。
【００２４】
図７に示すように、交換するときは、使用後の貯液装置５とアダプタ装置４を分離すると、弾性部材２４が元に戻って第１当接部２１、第２当接部２２、及び穿刺モジュール３を動かし、穿刺部２３に再び第１穿刺部材３１と第２穿刺部材３２を収容して使用者がうっかりケガをするなどということがないようにする。その後再び新しい貯液装置５をアダプタ装置４上に取り付けるだけでよいため、使用上非常に安全で便利である。
【００２５】
本考案の構造は加圧を生じる効果を備え、高圧流体が自然に低圧流体の方向に移動する物理特性を形成しているため、分流部１１４箇所の流体（高圧流体）が出液口１１２（低圧流体）へと円滑に流れる。さらに、本考案により生じた加圧効果を通じ、分流部１１４と回流部１１５の寸法を大きくできる範囲を増加する一方で、その加圧効果を維持することができるため、混合する流体の流量に対して必要がある場合、必要に応じて分流部１１４と回流部１１５の寸法を大きくし、混合量の制御可能な変化範囲をより大きくするという利点を達成することができる。
【００２６】
本考案は貯液装置５を取り付けていないとき、穿刺モジュール３が第１通孔３１１と第２通孔３２１を封鎖した状態に保つため、本考案は流体を直接通過させて使用者の正常な使用に供することができる（例えば、シャワーヘッドを正常に開いてシャワーを浴びる、または蛇口を正常に開いて洗う等）。また、本考案で貯液装置５を取り付けたとき、流体の開閉部（蛇口など）を閉じると、流体の分流部１１４への流入が停止し、及び前述の芳香流体が回流部１１５内に停留して流出が止まり、流体と芳香物の混合が停止されるため、直ちに貯液装置５を取り外さなくても、流体と芳香物の混合が自然に停止し、芳香物の不必要な消費を減少することができ、次回流体の開閉部を開けたとき、流動する流体が改めて芳香物と混合される。このため、流体の開閉部箇所が閉じた状態または開いた状態のどちらにあっても、隨時貯液装置５を取り外すことができ、流体開閉部の使用、及び流動する流体に影響を与えることがない。
【符号の説明】
【００２７】
１        連結装置
１１      連結本体
１１１    入液口
１１２    出液口
１１３    流通部
１１４    分流部
１１４１  分流空間
１１４２  分流口
１１５    回流部
１１５１  回流空間
１１５２  回流口
１２      連結蓋体
２        昇降モジュール
２１      第１当接部
２２      第２当接部
２３      穿刺部
２４      弾性部材
３        穿刺モジュール
３１      第１穿刺部材
３１１    第１通孔
３２      第２穿刺部材
３２１    第２通孔
３３      支持座体
３４      密閉部材
４        アダプタ装置
４１      収容部
４２      圧迫部
５        貯液装置
５１      貯液容器
５２      撓性部
５３      貯液空間
【図１】
0003213790.tif 000003
【図２】
0003213790.tif 000004
【図３】
0003213790.tif 000005
【図４】
0003213790.tif 000006
【図５】
0003213790.tif 000007
【図６】
0003213790.tif 000008
【図７】
0003213790.tif 000009